(57)【要約】【課題】自動車の窓枠に容易に取り付け可能であって、外観が損なわれることのない自動車用サイドバイザーを提供する。【解決手段】バイザー本体１ａの庇部５の内面側（図１において上面側）の第２挿通孔８周縁であって、第２挿通孔８を中心として互いに対称となる位置には位置決め部である角柱状の係止突起９、９が一体的に突設されている。該係止突起９、９は、第２挿通孔８に挿通されるリベット３のリベット頭部３ａに隠れるように形成されている。一方、取付金具２は帯状金属板を折り曲げて形成されたものであって、窓枠４に係着する係着部１０と、第２挿通孔８に挿通させて庇部５から突出したリベット３を挿通するための第１挿通孔１１と、庇部５に設けられた係止突起９、９に嵌合可能な位置決め部である切欠き１２、１２とが設けられている。【選択図】　図１
0003098623.tif 000002
【実用新案登録請求の範囲】
【請求項１】
長尺帯状の庇部の上端縁に鍔部を連設してなるバイザー本体と、該バイザー本体をリベットによって自動車の窓枠に取り付ける取付金具とからなる自動車用サイドバイザーであって、
前記取付金具に、自動車の窓枠に係着可能な係着部と、前記リベットを挿通させる第１挿通孔を設ける一方、前記庇部に、前記リベットを挿通させるための第２挿通孔を設け、前記取付金具と庇部内面とに、互いの嵌合状態で前記リベットの第１挿通孔と第２挿通孔とを一致させる位置決め部を夫々設けて、前記嵌合状態で前記庇部に対する取付金具の移動を規制可能としたことを特徴とする自動車用サイドバイザー。
【請求項２】
前記庇部内面側の位置決め部が、第２挿通孔に挿通されるリベットのリベット頭部に対向する範囲内に設けられることを特徴とする請求項１に記載の自動車用サイドバイザー。
【請求項３】
前記取付金具側の位置決め部が、第１挿通孔の開口際に設けられる凸部又は凹部であって、庇部内面側の位置決め部が、第２挿通孔の開口際に設けられる凹部又は凸部であることを特徴とする請求項１または２に記載の自動車用サイドバイザー。
【請求項４】
前記取付金具側の位置決め部が、第１挿通孔の周縁で対称となる位置に切り欠き状に形成されたものであって、庇部内面側の位置決め部が、第２挿通孔の開口際で対称となる位置に設けられる一対の凸部であることを特徴とする請求項１〜３のいずれかに記載の自動車用サイドバイザー。
【請求項５】
前記第１挿通孔及び第２挿通孔に挿通させたリベットの先端にキャップを装着したことを特徴とする請求項１〜４のいずれかに記載の自動車用サイドバイザー。
【考案の詳細な説明】
【０００１】
【考案の属する技術分野】
本考案は、自動車の窓枠に、取付金具を介して取り付ける自動車用サイドバイザーに関するものである。
【０００２】
【従来の技術】
従来、自動車の窓枠に、取付金具を介して取り付ける自動車用サイドバイザーとして実用新案登録第３０８６４２４号公報に開示されているようなものが知られている。これは、バイザーの内面に、取り付け金具の元端部の幅方向両側縁と当接することにより、当該取り付け金具の回り止めを行う隆起部を一体成形したものである。また、バイザーの内面に凹部を、取り付け金具に該凹部と係合可能な係止凸部を設けたものも知られている。
【０００３】
【考案が解決しようとする課題】
しかしながら、バイザーの内面に隆起部或いは凹部を設けると、塗装を施す際に該隆起部或いは凹部に塗装がのらず、バイザーの外観が損なわれるという問題が生じていた。また、前記従来のバイザーは、隆起部を取り付け金具の元端部の幅方向両側縁と当接するようにのみ設けたものであるため、取り付け金具はその長さ方向にズレやすいという問題を有していた。そのため、バイザーの取り付け時において、バイザー本体に設けられた第２層通孔と取り付け金具に設けられた第１挿通孔とを合わせることが困難であり、取付作業性の悪いものであった。さらに、取り付け金具側に係止凸部を設けたものでは、バイザーの取り付け時に、係止凸部がバイザーを傷つけるおそれがあった。
【０００４】
そこで、請求項１に記載の考案は、自動車の窓枠に容易に取り付け可能であって、外観が損なわれることのない自動車用サイドバイザーを提供しようとするものである。
【０００５】
【考案を解決するための手段】
上記目的を達成するために、請求項１に記載の考案は、長尺帯状の庇部の上端縁に鍔部を連設してなるバイザー本体と、該バイザー本体をリベットによって自動車の窓枠に取り付ける取付金具とからなる自動車用サイドバイザーであって、前記取付金具に、自動車の窓枠に係着可能な係着部と、前記リベットを挿通させる第１挿通孔を設ける一方、前記庇部に、前記リベットを挿通させるための第２挿通孔を設け、前記取付金具と庇部内面とに、互いの嵌合状態で前記リベットの第１挿通孔と第２挿通孔とを一致させる位置決め部を夫々設けて、前記嵌合状態で前記庇部に対する取付金具の移動を規制可能としたことを特徴とするものである。
請求項２に記載の考案は、請求項１の目的に加えて、自動車用サイドバイザーの外観を損なわないために、前記庇部内面側の位置決め部が、第２挿通孔に挿通されるリベットのリベット頭部に対向する範囲内に設けられることを特徴とするものである。
請求項３に記載の考案は、請求項１または２の目的に加えて、取付金具の固着作業を容易なものとするために、前記取付金具側の位置決め部が、第１挿通孔の開口際に設けられる凸部又は凹部であって、庇部内面側の位置決め部が、第２挿通孔の開口際に設けられる凹部又は凸部であることを特徴とするものである。
請求項４に記載の考案は、請求項１〜３の目的に加えて、取付金具の成形を容易なものとするために、前記取付金具側の位置決め部が、第１挿通孔の周縁で対称となる位置に切り欠き状に形成されたものであって、庇部内面側の位置決め部が、第２挿通孔の開口際で対称となる位置に設けられる一対の凸部であることを特徴とするものである。
請求項５に記載の考案は、請求項１〜４の目的に加えて、リベットの抜け落ちを防止するために、前記第１挿通孔及び第２挿通孔に挿通させたリベットの先端にキャップを装着したことを特徴とするものである。
【０００６】
【考案の実施の形態】
以下、本考案の一実施形態であるリベット取付型自動車用サイドバイザー１（以下、本実施形態においてサイドバイザー１とする）について図面に基づいて説明する。
【０００７】
図１は、バイザー本体１ａに、該バイザー本体１ａを窓枠に取り付けるための取付金具２をリベット３により固着する状態を示す説明図である。図２は、取付金具２をリベット３によりバイザー本体１ａに固着した状態を示す断面図である。図３は、サイドバイザー１を自動車の窓枠４に取り付けた状態を示す断面図である。
【０００８】
サイドバイザー１は、バイザー本体１ａと、リベット３によってバイザー本体１ａに固着され、そのバイザー本体１ａを窓枠４に取り付けるための取付金具２とからなっている。ここで用いられるリベット３は、先端部が先割れ形成された拡張式の樹脂製リベットである。
バイザー本体１ａは、例えば着色樹脂等の遮光性を備えた合成樹脂製であって、自動車の窓枠４に沿って長尺帯状に形成された庇部５の上端縁に鍔部６が一体的に連設されたものである。
【０００９】
庇部５の鍔部６側上端部には、取付金具２を固着するためのリベット３を挿通可能な第２挿通孔８が穿設されている。庇部５の内面側（図１において上面側）の第２挿通孔８周縁であって、第２挿通孔８を中心として互いに対称となる位置には位置決め部である角柱状の係止突起９、９が一体的に突設されている。図２に示されているように、係止突起９、９は、第２挿通孔８に挿通されるリベット３のリベット頭部３ａに隠れるように、挿通されるリベット３のリベット頭部３ａに対向する範囲内に設けられている。つまり、本実施形態において各係止突起９は、第２挿通孔８の中心から各係止突起９の外側端部までの距離よりも、リベット頭部３ａの半径の方が長くなるように設けられている。
【００１０】
鍔部６は、サイドバイザー１を取り付ける際に窓枠４に当接する部分であって、該鍔部６の内面側には窓枠にサイドバイザーを接着するための離型紙付き両面接着テープ７が貼着されている。
【００１１】
取付金具２は帯状金属板を折り曲げて形成されたものであって、窓枠４に係着する係着部１０と、第２挿通孔８に挿通させて庇部５から突出したリベット３を挿通させるための第１挿通孔１１と、庇部５に設けられた係止突起９、９に嵌合可能な位置決め部である切欠き１２、１２とが設けられている。係着部１０は、取付金具２の一方端部に設けられ、窓枠内縁４ａを挟み込んで係着可能な断面Ｕ字形に形成されている。第１挿通孔１１及び各切欠き１２は取付金具２の他方端部に設けられており、各切欠き１２は第１挿通孔１１の周縁であって互いに対称となる位置に設けられている。
【００１２】
次に、図１及び図３を用いて、該サイドバイザー１の組立作業及び窓枠への取付作業を説明する。
まず、取付金具２の係着部１０を自動車の窓枠内縁４ａに挟み込んで係着する。次に、バイザー本体１ａの鍔部６を窓枠４に当接させ、該鍔部６に貼着された離型紙付き両面接着テープ７によりバイザー本体１ａを接着する。続いて、取付金具２の位置を調整し、取付金具２に設けられた第１挿通孔１１とバイザー本体１ａの庇部５に設けられた第２挿通孔８とを合わせる。この時、庇部５に設けられた係止突起９、９を取付金具２に設けられた切欠き１２、１２に夫々嵌合させるだけで、第１挿通孔１１と第２挿通孔８との位置を合わせることができる。その後、リベット３を挿通させれば取付金具２をバイザー本体１ａに固着することができ、サイドバイザー１の組立作業及び窓枠への取付作業が完了する。
なお、図３において、１３はドアガラスラン、１４はドアガラスである。
【００１３】
上記の如く構成されたサイドバイザーを用いると、挿通させたリベットのリベット頭部によって、庇部に設けられた係止突起を隠すことができるため、例え係止突起に塗装がのっていない場合であっても、サイドバイザーの外観が損なわれることはない。また、係止突起を切欠きに嵌合させるだけで第１挿通孔と第２挿通孔との位置が自然と合わさるため、取付作業性及び組立作業性が格段によくなる。さらに、係止突起を切欠きに嵌合させた嵌合状態で取付金具をバイザーに固着するため、取付金具がバイザー本体に対して回転することをも防止することができる。さらに、取付金具には突出した凸状部を設ける必要がないため、取付金具によってバイザー本体が傷つく心配はない。
【００１４】
なお、本考案にかかる自動車用サイドバイザーの構成は、上記した実施例の態様に何ら限定されるものではなく、本考案の趣旨を逸脱しない範囲で適宜変更することができる。
例えば、図４に示すように、サイドバイザー４１に取付金具４２を固着するためにリベット４３を挿通させた後、該リベット４３の先端にキャップ４５を装着してもよい。このように、キャップ４５を装着することで、先端部の先割れ形状を覆い隠して、見栄えを良くすることができる。また、先端部の突端に指が触れることによるリベット４３の抜け落ちを防ぐことができる。
【００１５】
また、庇部内面側に設ける位置決め部の形状は角柱状である必要はなく、円柱状や半球状等であっても何ら問題はない。また、位置決め部を設ける位置も挿通させるリベットのリベット頭部に隠れる範囲であれば、第２挿通孔を挟んで対向する位置に設けずともよい。さらに、位置決め部の数は３つ以上であってもよいし、第２挿通孔の外周に沿って周設されたもの等、長さをある程度有するものであれば１つでもよい。
さらに、上述した実施例においては、庇部内面側の位置決め部を凸状に、取付金具側の位置決め部を切欠き状（凹状）に形成したが、逆に庇部内面側の位置決め部を凹状に、取付金具側の位置決め部を凸状に形成してもよい。さらにまた、取付金具側の位置決め部を切欠き状としたが、凹部としても何ら問題はない。
【００１６】
加えて、バイザー本体の形状・取付金具の係着部の形状等は取り付ける自動車に応じて適宜変更することは当然可能である。また、第２挿通孔及び第１挿通孔の形状も、用いるリベットの形状に合わせて適宜変更可能であり、角形のリベットであれば当然角孔となる。加えて、鍔部に離型紙付き両面接着テープを貼着せず、鍔部を窓枠に当接させる前に接着剤を塗布するものとしてもよい。
【００１７】
【考案の効果】
請求項１及び２に記載の自動車用サイドバイザーとすると、挿通させたリベットのリベット頭部によって、庇部に設けられた位置決め部を隠すことができるため、例え位置決め部に塗装がのっていない場合であっても、自動車用サイドバイザーの外観が損なわれることはない。また、庇部内面側の位置決め部と取付金具側の位置決め部とを嵌合させるだけで自然と第１挿通孔と第２挿通孔との位置を合わせることができるため、取付作業性及び組立作業性が格段によくなる。さらに、両位置決め部を嵌合させた状態で取付金具をバイザー本体に固着しているため、取付金具がバイザー本体に対して回転することをも防止することができる。また、庇部内面側の位置決め部を凸状に、取付金具側の位置決め部をを凹状に形成することによって、取付金具によってバイザー本体が傷つく心配がなくなる。
さらに、第１挿通孔及び第２挿通孔に挿通させたリベットの先端にキャップを装着すると、先端部の先割れ形状を覆い隠して、見栄えを良くすることができる上、先端部の突端に指が触れることによるリベットの抜け落ちを防ぐことができる。
【図面の簡単な説明】
【図１】バイザー本体の説明図である。
【図２】取付金具をリベットによりバイザー本体に固着した状態を示す断面図である。
【図３】サイドバイザーを自動車の窓枠に取り付けた状態を示す断面図である。
【図４】サイドバイザーを自動車の窓枠に取り付けた状態を示す断面図である。
【符号の説明】
１・・サイドバイザー、１ａ・・バイザー本体、２・・取付金具、３・・リベット、３ａ・・リベット頭部、４・・窓枠、４ａ・・窓枠内縁、５・・庇部、６・・鍔部、７・・離型紙付き両面接着テープ、８・・第２挿通孔、９・・係止突起、１０・・係着部、１１・・第１挿通孔、１２・・係合孔、１３・・ドアガラスラン、１４・・ドアガラス、４１・・サイドバイザー、４２・・取付金具、４３・・リベット、４４・・窓枠、４５・・キャップ。
【図１】
0003098623.tif 000003
【図２】
0003098623.tif 000004
【図３】
0003098623.tif 000005
【図４】
0003098623.tif 000006